(57)【要約】【課題】移動ガイドが精度良く整列されて直線状に並ぶと共に、しっかりと保持される釣竿を提供する。【解決手段】前細状竿杆１０の外周に肉盛りした複数個のガイド受座Ｚ１，Ｚ２，Ｚ３を有し、各ガイド受座の外周には、円周方向に凹と凸を交互に設けて竿杆の長手方向に指向した多数の凹凸条ＯＴ１，ＯＴ２，ＯＴ３と、該凹凸条に比べて半径方向落差又は幅が大きく、竿杆長手方向に指向したガイド条Ｇ１，Ｇ２，Ｇ３とを設けており、各ガイド条は竿杆の長手方向に一直線状に並んでおり、一方、各ガイド受座に対して装着される各移動ガイドＹＧ１，ＹＧ２，ＹＧ３の装着筒内周には、ガイド条と係合して該ガイド条に沿って案内され得ると共に、各移動ガイドの中心線を基準にして、当該竿杆に係る移動ガイド同士で同一角度の位置に設けられている係合部と、各ガイド受座の多数の凹凸条と押圧係合可能な多数の筒側凹凸条とを設ける。【選択図】        図２
2004283072.tif 000002
【特許請求の範囲】
【請求項１】
トップガイドを有する外ガイド式の釣竿であって、繊維強化合成樹脂製前細状竿杆の外周に肉盛りした複数個のガイド受座を有し、各ガイド受座の外周には、円周方向に凹と凸を交互に設けて竿杆の長手方向に指向した多数の凹凸条と、該凹凸条に比べて半径方向落差又は幅が大きく、竿杆長手方向に指向したガイド条とを設けており、各ガイド条は竿杆の長手方向に一直線状に並んでおり、一方、各ガイド受座に対して装着される各移動ガイドの装着筒内周には、ガイド条と係合して該ガイド条に沿って案内され得ると共に、各移動ガイドの中心線を基準にして、当該竿杆に係る移動ガイド同士で同一角度の位置に設けられている係合部と、各ガイド受座の多数の凹凸条と押圧係合可能な多数の筒側凹凸条とを設けていることを特徴とする釣竿。
【請求項２】
前記多数の凹凸条はガイド条の前端位置よりも後方位置に前端を有する請求項１記載の釣竿。
【請求項３】
前記竿杆が穂先竿であり、各ガイド条は穂先竿の長手方向に一直線状に並んで、トップガイドの中心と穂先竿の中心軸線とを含む平面上であって、少なくともトップガイドの位置する穂先竿上側に設けられている請求項１又は２記載の釣竿。
【発明の詳細な説明】
【０００１】
【発明の属する技術分野】
本発明は、竿杆外側に移動ガイドを装着させるガイド受座を有する釣竿に関する。
【０００２】
【従来の技術】
竿杆長手方向の複数所定箇所に断面非円形の取付座を設け、これらに移動ガイドの装着筒内周部に設けた凹凸条を係合させて回り止めする釣竿が下記特許文献１に開示されている。また、下記特許文献２には、移動ガイドの円周方向位置決めのための目印を設けた釣竿が開示されている。
【特許文献１】
実用新案登録第２１４７４００号公報
【特許文献２】
実開昭６４−３４９６６号公報
【０００３】
【発明が解決しようとする課題】
然しながら、特許文献１に開示の係合構造では、竿杆に移動ガイドを装着してトップガイドと一直線状に並べようとした場合、例え特許文献２に開示のような目印を設けたとしても、必ずしも一直線には並べられず、仕掛けの投擲等において、釣糸の繰り出しの抵抗を最小にした円滑な投擲が行われ得ない。即ち、移動ガイドの装着筒内周部に設けた凹凸条は、各移動ガイドの中心線に対する角度位置が必ずしも定まってはおらず、凹凸の１ピッチの範囲内で変動し得る。また、凹凸の、各移動ガイドの中心線に対する角度位置が定まって一定である場合でも、該凹凸の角度位置と、竿杆取付座の断面非円形形状との角度位置関係までが定まっているわけではないので、必ずしも精度良く一直線に並ぶとは限らない。
【０００４】
依って本発明は、移動ガイドが精度良く整列されて直線状に並ぶと共に、しっかりと保持される釣竿の提供を目的とする。
【０００５】
【課題を解決するための手段】
上記目的に鑑みて本発明の請求項１では、トップガイドを有する外ガイド式の釣竿であって、繊維強化合成樹脂製前細状竿杆の外周に肉盛りした複数個のガイド受座を有し、各ガイド受座の外周には、円周方向に凹と凸を交互に設けて竿杆の長手方向に指向した多数の凹凸条と、該凹凸条に比べて半径方向落差又は幅が大きく、竿杆長手方向に指向したガイド条とを設けており、各ガイド条は竿杆の長手方向に一直線状に並んでおり、一方、各ガイド受座に対して装着される各移動ガイドの装着筒内周には、ガイド条と係合して該ガイド条に沿って案内され得ると共に、各移動ガイドの中心線を基準にして、当該竿杆に係る移動ガイド同士で同一角度の位置に設けられている係合部と、各ガイド受座の多数の凹凸条と押圧係合可能な多数の筒側凹凸条とを設けていることを特徴とする釣竿を提供する。
ガイド条はその延伸方向に指向しているが、ガイド受座内において連続しているとは限らず、途中で途切れていても、装着筒の係合部の案内に支障がなければよい。また、移動ガイドの中心線とは、ガイド中心と装着筒の中心とを結ぶ線である。
【０００６】
多数の凹凸条に比べて半径方向落差又は幅が大きく、竿杆長手方向に指向したガイド条を設けているため、移動ガイドの係合部が係合した場合、係合が外れることが防止され、確実にガイド条の延伸方向に沿って移動ガイドを案内できる。また、これらのガイド条は、竿杆の長手方向に一直線状に並んでいると共に、係合部が各移動ガイドの中心線を基準にして同一角度の位置に設けられているため、係合させた各移動ガイドの中心線は竿杆の中心軸線を含む平面上に並ぶこととなる。即ち、各移動ガイドは一直線状に並ぶ。また、ガイド条と係合部のみの係合ではなく、装着筒内周に設けた多数の筒側凹凸条がガイド受座の多数の凹凸条と押圧係合可能なので、装着筒とガイド受座との装着嵌合部が周方向に分散でき、移動ガイドがしっかりと保持される。
【０００７】
請求項２では、前記多数の凹凸条はガイド条の前端位置よりも後方位置に前端を有する請求項１記載の釣竿を提供する。
これにより、移動ガイドはガイド受座の多数の凹凸条によって邪魔されることなく、まず、移動ガイドの装着筒の係合部をガイド条に容易確実に係合させることができ、それから移動ガイドを後方に移動させて多数の凹凸条同士を押圧係合させることができる。従って、装着操作が容易円滑になる。
【０００８】
請求項３では、前記竿杆が穂先竿であり、各ガイド条は穂先竿の長手方向に一直線状に並んで、トップガイドの中心と穂先竿の中心軸線とを含む平面上であって、少なくともトップガイドの位置する穂先竿上側に設けられている請求項１又は２記載の釣竿を提供する。
穂先竿であるため、ガイド受座に移動ガイドを装着させる場合に、移動ガイドを、大きな目標物であるトップガイドに目視で整列させるようにすれば、移動ガイド装着筒の係合部をガイド条と係合させることが容易となる。また、ガイド条がトップガイドに対して一直線状に並ぶ上側位置にあるため、前記目視の際にこのガイド条自体も一緒に目視でき、移動ガイドを更に容易に装着させることが可能となる。
【０００９】
【発明の実施の形態】
以下、本発明を添付図面に示す実施形態例に基づき、更に詳細に説明する。
図１は本発明に係る外ガイド式釣竿の先部の上面図であり、図２はその側面図である。この形態例では、元竿（図示せず）と中竿１２と穂先竿１０の３本を振出式に継ぎ合わせた振出式の釣竿であるが、並継式等であってもよい。各竿杆は、エポキシ樹脂等の合成樹脂をマトリックスとし、炭素繊維等の強化繊維で強化した繊維強化樹脂製竿杆であり、振出式であるため、元竿、中竿は中空管であるが、穂先竿１０は中空管でも中実杆でもよい。穂先竿にはトップガイドＴＧが固定されており、この例では、穂先竿の長手方向３箇所の外周にガイド受座Ｚ１，Ｚ２，Ｚ３が設けられている。更には、中竿１２には２箇所に図示しないガイド受座が設けられている。
【００１０】
ガイド受座は繊維強化樹脂や合成樹脂等によって、竿杆と一体的に形成する。これら各ガイド受座には、夫々、移動ガイドＹＧ１，ＹＧ２，ＹＧ３が装着可能である。また、図示しない２個の移動ガイドも存在している。既述の如く、振出式であるため、穂先竿についていえば、最後尾のガイド受座Ｚ３に装着される移動ガイドＹＧ３は、その前側のガイド受座Ｚ２，Ｚ１を通過でき、移動ガイドＹＧ２もガイド受座Ｚ１を通過でき、収納時には各移動ガイドはトップガイドＴＧの近くに集められる。
【００１１】
以下では、代表としてガイド受座Ｚ２と移動ガイドＹＧ２について説明するが、他も同様である。図３はガイド受座Ｚ２の部位の拡大縦断面図を示している。また、図４は同部位に移動ガイドＹＧ２を装着した状態の横断面図を示し、図５は移動ガイドＹＧ２のみの図であり、図６は図４の要部の拡大図である。ガイド受座Ｚ２の外周には、多数の凹凸条ＯＴ２と、相対的に大きな１条のガイド条Ｇ２が、夫々竿杆の長手方向に指向して延伸している。ガイド条は２本等の複数条の場合もあるが、複数本の場合でも少ない本数である。また、凹凸条の前端位置Ｐ２は、ガイド条Ｇ２の前端位置Ｐ１よりも後方位置である。
【００１２】
移動ガイドＹＧ２は、セラミックス等の硬質ガイドリングＲ２と、竿杆１０に装着させるための装着筒Ｔ２と、これらを連結するフレーム部Ｆ２とを有している。装着筒の内周には、前記ガイド条Ｇ２に係合させる係合部ＴＧ２としての凹条を１条設け、その他の内周領域には多数の凹凸ＴＯ２を形成している。この例では、凹条ＴＧ２は、ガイドリングの中心Ｃ１と装着筒の中心Ｃ２とを結ぶ移動ガイドの中心線Ｌ１上に中心が位置するように設けている。一方、ガイド条Ｇ２はトップガイドのガイドリング中心と、穂先竿の中心軸線とを含む平面Ｈ１上に中心が位置し、しかも竿杆周方向のトップガイド側に設けている。従って、移動ガイドの凹条をガイド受座のガイド条に係合させれば、ガイド受座に対する移動ガイドの円周方向の相対位置が定まり、この状態で、移動ガイドがトップガイドと一直線に並ぶ。
【００１３】
既述のように、凹凸条の前端位置Ｐ２は、ガイド条Ｇ２の前端位置Ｐ１よりも後方位置であるので、この移動ガイドの装着係合開始時に、ガイド受座の多数の凹凸条と移動ガイド側の多数の凹凸条とが係合し合わないため、移動ガイドを容易に係合させて安定させられる。
【００１４】
この例では、ガイド受座側の多数の凹凸条ＯＴ２も、移動ガイドの多数の凹凸条ＴＯ２も、夫々所定のピッチで凹凸を形成していると共に、夫々のピッチ角度が同じである。更には、移動ガイドをガイド受座の途中にまで押し込めば、両凹凸条が互いに押圧係合する外径と内径寸法に設定している。また、ガイド条Ｇ２と凹条ＴＧ２との円周方向隙間は、凹凸条のピッチの１／４以下又は１／５以下が好ましい。大き過ぎては移動ガイドの竿杆に対する周方向相対位置を位置決めできない。また、隙間が無くてきつい嵌合状態では、移動ガイドを装着させたり外したりの作業に支障が生じるので、極僅かな隙間の存在は好ましい。
【００１５】
ガイド条の高さは、多数の凹凸条ＯＴ２の凸部表面の高さラインＳに比較してＨだけ高い。このＨはガイド受座の位置にもよるが、０．１〜１ｍｍ程度がよいが、これよりも大きくても、また、小さくてもよい。このガイド条の底部は凹凸条の凹条に一致させている。前記高さの差Ｈの存在によって、請求の範囲で半径方向落差が大きいと表現している。但し、この例とは逆に、ガイド条が凹条であって、装着筒Ｔ２の内周の係合部ＴＧ２が凸条であってもよい。この場合の半径方向落差が大きいとは、ガイド条である凹条の底部が多数の凹凸条の凹条の底よりも低いことをいう。また、ガイド条の幅が大きくてもよい。
【００１６】
この例では、ガイド受座と装着筒の各凹凸条は、円周方向において夫々が一定のピッチであって凹凸の高さや深さも一定である他、両ピッチを同一値に設定しており、また、凹凸の数も一致させている。また、凹凸の溝深さは筒側を大きくしている。従って、移動ガイドをガイド受座に対して装着させた状態では、ガイド受座の凹条と、装着筒の凸条とが夫々押圧し、ガイド受座の全周に亘って押圧力が作用し、しっかりと保持できる。また、ガイド条Ｇ２の高さよりも係合部ＴＧ２の深さの方が十分に深く、互いの凹凸条が十分に押圧可能に構成されている。また、ガイド条の幅は、凹凸条のピッチよりも大きく形成する。具体的には１〜３ｍｍにするとよい。
【００１７】
上記例と異なり、多数の凹凸条ＯＴ２やＴＯ２の凹凸ピッチは一定でなくてもよく、また、両ピッチが同じでなくて異なっていてもよい。更には、凹凸の数も同じでなくてもよい。従って、ガイド受座側の凹条の全てに装着筒側の凸条が押圧する状態ではなくなるが、円周方向の種々の位置において押圧し合うことにおいては変わらないため、これでもよい。更には、多数の凹凸条を設ける角度範囲は、ガイド条の領域を除いた残り全領域が好ましいが、その一部であってもよい。例えば、１８０度分等である。
【００１８】
ガイド受座の長さ方向の形態について説明する。前細状の竿杆１０の表面からのガイド条Ｇ２の高さ（厚さ）は前端から後端に亘って一定であってもよいが、後方程高く設定してもよい。また、多数の凹凸条ＯＴ２の凹条の底部厚さｔも、前端から後端に亘って一定であってもよいが、後方程厚く設定してもよい。この例では、前端Ｐ１から後方位置Ｐ３に至るまでは、徐々に厚く形成し、その後、後端Ｐ４に至るまで急テーパ状に厚く設定している。
【００１９】
これにより、移動ガイドを後方に強く移動させ過ぎて、後方に抜けてしまうような不具合を防止している。また、凸条頂面と凹条底面との高低差（溝深さ）ｆは、位置Ｐ３とＰ４の間を除いてほぼ一定とし、位置Ｐ３からＰ４までは徐々に深さを０に近づけている。何れにしても、ガイド受座は、後方程凹凸条の凹条底面の高さが高くなるため、移動ガイドを後方に移動させれば押圧し合って保持できる。
【００２０】
ガイド受座の後端部や前端部に、多数の凹凸条を形成しない領域を設けているが、全ての領域に設けてもよい。また、ガイド条の前端と凹凸条の前端とを一致させたり、逆に凹凸条の前端位置を前側に位置させてもよい。更には、ガイド受座の前端と後端の段差を小さくして移動ガイドの装着を円滑にするために、合成樹脂や塗料によって傾斜部Ｚ２’を設けてもよい。また、これは応力集中の防止にも役立つ。
【００２１】
上記例では、ガイド条Ｇ２は、トップガイドのガイドリング中心と、穂先竿の中心軸線とを含む平面Ｈ１上の竿杆上側に中心が位置するように設けているが、竿杆の径方向反対側、即ち、下側に設けてもよい。また、左側や右側に設けてもよい。更には、これらの任意の２個以上を一緒に設けてもよい。これらの場合、装着筒側の係合部ＴＧ２は、これらの角度位置に対応させた位置に設けることは当然である。
【００２２】
前記溝深さｆを円周方向において一定にする方法を以下説明する。
繊維強化合成樹脂製竿杆の所定位置外側にガイド受座を一体化しており、該ガイド受座外周（ガイド条の部位を除いた領域）を所定精度の円形に加工する工程と、該円形のガイド受座外周を基準にしてガイド受座に長手方向に延伸する溝を加工する工程とを有して、所定ピッチの多数本の溝の深さを円周方向において概ね一定とする。
所定精度とは、加工されたガイド受座外周に外接する最小の外接円（半径Ｒ１）の中心で測ったガイド受座外周までの最小の長さ（半径）をＲ２とし、Ｒ１−Ｒ２＝Δが、０．０５ｍｍ以下、好ましくは０．０３ｍｍ以下を意味する。
【００２３】
円形状のガイド受座外周を基準にしてガイド受座に長手方向に延伸する溝を加工するとは、溝加工の際にはガイド受座をチャックで掴んだ状態や、ガイド受座を受け具で受けた状態で加工し、前者ではチャックの軸心とガイド受座の軸心とが一致する（即ち、チャックの中心軸心の空間位置は常に捕捉できている（典型的には一定の位置にある）ため、ガイド受座の軸心も常に同じ位置として捕捉できる（典型的には一定の位置にある））ことを狙うことであり、後者では受け具の受け面から割り出したガイド受座の軸心が常に捕捉できる（典型的には一定の位置にある）ことを狙うことである。
【００２４】
円形状に加工されたガイド受座を回転させても、所定精度の円形外周が基準となるため、ガイド受座の軸心を不変に維持できる。従って、溝を加工すべき対象のガイド受座外周も、回転に拘わらず常に不変位置に維持できる。即ち、例えば、溝加工の前に計測等で決定したガイド受座外周面の高さ等の空間位置は、回転によっては常に一定に維持できる。従って、最初の溝の加工に際してガイド受座外周面から切り込んだ深さは、その後に回転させても、計測等を反復することなくそのまま維持でき、ガイド受座の円周方向において概ね深さを一定にした多数本の溝を容易に形成できる。
異なる実施例において説明した各事項は、特に矛盾を生じない限り、互いに他の実施例にも適用できる。
【００２５】
【発明の効果】
以上の説明から明らかなように本発明によれば、移動ガイドが精度良く整列されて直線状に並ぶと共に、しっかりと保持される釣竿が提供可能となる。
【図面の簡単な説明】
【図１】図１は、本発明に係る釣竿の先部の上面図である。
【図２】図２は、図１の側面図である。
【図３】図３は、ガイド受座領域の拡大縦断面図である。
【図４】図４は、移動ガイドを装着した部位の横断面図である。
【図５】図５は、図４に使用の移動ガイド正面図である。
【図６】図６は、図４の要部拡大断面図である。
【符号の説明】
Ｇ１，Ｇ２，Ｇ３                    ガイド条
ＯＴ１，ＯＴ２，ＯＴ３              受座側の多数の凹凸条
Ｔ１，Ｔ２，Ｔ３                    装着筒
ＴＧ２                              係合部
ＴＯ２                              筒側の多数の凹凸条
ＹＧ１，ＹＧ２，ＹＧ３              移動ガイド
Ｚ１，Ｚ２，Ｚ３                    ガイド受座
【図１】
2004283072.tif 000003
【図２】
2004283072.tif 000004
【図３】
2004283072.tif 000005
【図４】
2004283072.tif 000006
【図５】
2004283072.tif 000007
【図６】
2004283072.tif 000008